(57)【特許請求の範囲】
【請求項１】
端子金具を収容可能なハウジングの上面側には、相手側ハウジングと係合して両ハウジングの嵌合状態を保持する弾性変形可能なロック片とこのロック片の両側縁に沿って突設される一対のリブとが設けられたコネクタであって、
前記ロック片の先端上面側には、このロック片の両側縁に張り出す張り出し部が設けられているとともに、前記両リブにおいて前記張り出し部よりも下方位置には、前記ロック片との離間幅を狭めるように肉厚部が設けられ、
前記張り出し部の下面側には、前記ロック片側に向かって傾斜面が設けられているとともに、この傾斜面と前記肉厚部とが最も近接する位置における隙間である最近接隙間の幅は、前記ロック片が弾性変形していない自然状態にあるときに前記張り出し部と前記リブとの隙間の開口における隙間である開口部隙間の幅よりも小さく、且つ前記電線が前記ロック片の下面側に回り込むのを規制できるよう設定され、
前記肉厚部は、前記張り出し部の側縁とほぼ同位置かそれよりも外側位置まで突設されることで、前記ロック片が下方に撓むときに当接を回避するようになっていることを特徴とするコネクタ。
【発明の詳細な説明】
【０００１】
【発明の属する技術分野】
本発明は、コネクタに関するものである。
【０００２】
【従来の技術】
図７には、特開平６−５３２６号に開示されたコネクタ１００を示した。このコネクタ１００の上面には、図示しない相手側コネクタとの嵌合状態を保持するためのロック片１０１が設けられている。ロック片１０１の後端上面側は、ロック片１０１を撓み変形させるための張り出し部１０３とされている。
また、コネクタ１００の上面において、ロック片１０１の両側縁には、ロック片１０１の保護のために、長さ方向に沿って一対のリブ１０２が突設されている。
【０００３】
【発明が解決しようとする課題】
上記のコネクタ１００においては、張り出し部１０３と両リブ１０２との間は、ロック片１０１の押圧操作を許容するため、および成形金型の都合のために、所定の隙間１０４を隔てておく必要がある。そうすると、箱詰めされたワイヤーハーネスの取出時等において、張り出し部１０３と両リブ１０２との間の隙間１０４に電線Ｗが嵌まり込んでしまい、ロック片１０１の下面側に回り込むことで、ロック片１０１の後部を上方に引っ張り上げてしまうことがある。
【０００４】
本発明は、上記した事情に鑑みてなされたものであり、その目的は、ロック片とリブとの隙間に侵入した電線が、ロック片の下面側に回り込むことを規制できるコネクタを提供することにある。
【０００５】
【課題を解決するための手段】
上記の課題を解決するために請求項１の発明に係るコネクタは、端子金具を収容可能なハウジングの上面側には、相手側ハウジングと係合して両ハウジングの嵌合状態を保持する弾性変形可能なロック片とこのロック片の両側縁に沿って突設される一対のリブとが設けられたコネクタであって、前記ロック片の先端上面側には、このロック片の両側縁に張り出す張り出し部が設けられているとともに、前記両リブにおいて前記張り出し部よりも下方位置には、前記ロック片との離間幅を狭めるように肉厚部が設けられ、前記張り出し部の下面側には、前記ロック片側に向かって傾斜面が設けられているとともに、この傾斜面と前記肉厚部とが最も近接する位置における隙間である最近接隙間の幅は、前記ロック片が弾性変形していない自然状態にあるときに前記張り出し部と前記リブとの隙間の開口における隙間である開口部隙間の幅よりも小さく、且つ前記電線が前記ロック片の下面側に回り込むのを規制できるよう設定され、前記肉厚部は、前記張り出し部の側縁とほぼ同位置かそれよりも外側位置まで突設されることで、前記ロック片が下方に撓むときに当接を回避するようになっていることを特徴とする。
【０００７】
【発明の作用、および発明の効果】
請求項１の発明によれば、ロック片とリブとの隙間の開口から電線が入り込んだとしても、肉厚部が設けられているので、そこから下方に電線が入り込み難くなっている。このため、電線がロック片の下側に回り込んで、ロック片を逆方向に折り曲げてしまうおそれが少なくなる。また、たとえ電線が張り出し部とリブとの隙間の開口から入り込んだとしても、傾斜面と肉厚部との間を通ってロック片の下面側に回り込み難くなっている。
【０００８】
【発明の実施の形態】
次に本発明の構成について、図１〜図６を参照しつつ、詳細に説明する。
図１は、本実施形態のコネクタ１の斜視図である。なお、以下の説明では、特に断らない限り、図１中に示した矢印に基づいて、上（Ｕ）・下（Ｌ）・前（Ｆ）・後（Ｒ）の方向を用いる。
【０００９】
コネクタ１には、略直方体状のハウジング２が設けられている。このハウジング２の内部には、前後に貫通するキャビティ３が設けられており、ここには図示しない雌側の端子金具が装着可能とされている。なお、図５に示すように、ハウジング２の下面側には、キャビティ３に連通するリテーナ装着口１０が開放されており、ここにはリテーナ（図示せず）が組み付けられるようになっている。
【００１０】
また、ハウジング２の上面中央には、前後方向に沿って、ロック片４が延設されている。ロック片４は、その前端部分がハウジング２に連結され、後端側が自由端とされた片持ち状とされており、中央から後部の自由端部分にかけて、上下方向に撓み変形可能とされている。ロック片４の中央には、ロック爪５が突設されており、このロック爪５が図示しない相手側ハウジングに係合することで、両コネクタが嵌合状態に保持される。
【００１１】
また、ロック片４の後端上面側は、左右両側方に向かって張り出されて張り出し部６が形成されている。この張り出し部６を押圧操作することで、ロック片４を下方に撓み変形させることができる。張り出し部６の上面側は略平面状に形成されている一方、張り出し部６の下面側には、ハウジング２の中央側に向かって傾斜する傾斜面８が設けられている（図４を合わせて参照）。
【００１２】
また、ハウジング２の上面において、ロック片４の左右両側部には、ロック片４の延設方向に沿って、一対のリブ７が突設されている。リブ７は、ハウジング２の前後方向に、ほぼ直線状に形成されており、その後端部分は、段差７Ａを備えて一段高く形成されている。この段差７Ａは、ロック片４の張り出し部６の前端縁とほぼ同位置に設けられている。また、両リブ７と張り出し部６との間には、所定の開口部隙間Ａが設けられている。この開口部隙間Ａは、ロック片４とリブ７との当接を回避してロック片４を上下方向に撓み変形可能にしておくため、およびハウジング２を形成するときの金型の要請から不可欠のものである。
【００１３】
また、図３または図４に示すように、リブ７がロック片４と対向する面側には、自然状態（上下方向に撓み変形していない状態）にあるロック片４において、張り出し部６の傾斜面８の上端付近からロック片４に向かって肉厚部９が設けられている。肉厚部９は、張り出し部６の側縁とほぼ同位置かそれよりも僅かに外側位置まで突設されており、ロック片４が下方に撓むときに当接を回避するようになっている。また、ロック片４が自然状態にあるときに、肉厚部９の先端縁９Ａと傾斜面８とが最も近接している最近接隙間Ｂの幅は、開口部隙間Ａの幅よりも小さくされている。
【００１４】
次に、上記のように構成された本実施形態の作用および効果について、図６を参照しつつ説明する。
コネクタ１が単体状態であるときに、ロック片４とリブ７との開口部隙間Ａから電線Ｗが侵入しようとした場合には、電線Ｗは開口部隙間Ａを下方に進む。ところが、リブ７には肉厚部９が設けられており、最近接隙間Ｂの幅は、開口部隙間Ａの幅よりも小さくされているので、電線Ｗが最近接隙間Ｂから奥側に進んでしまう事態が起こり難くなっている。このため、電線Ｗが張り出し部６の裏面側に至って、ロック片４を上方に持ち上げてしまうおそれが回避される。
【００１５】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）本実施形態のコネクタ１は雌側のものであるが、本発明によれば、コネクタは雄側のものであってもよい。
（２）本実施形態のロック片４は、前端のみがハウジング２に連結した形状をしているが、本発明によればロック片の形状には依らず、例えば中央部分がハウジングに連結したものであってもよい。
【図面の簡単な説明】
【図１】本実施形態におけるコネクタの一部切り欠き斜視図
【図２】コネクタの平面図
【図３】コネクタの正面図
【図４】コネクタの背面図
【図５】コネクタの側断面図
【図６】コネクタが単体状態であるときに電線がロック片とリブとの間に挟み込まれたときの背面図
【図７】従来例におけるコネクタの斜視図
【符号の説明】
１…コネクタ
２…ハウジング
４…ロック片
６…張り出し部
７…リブ
８…傾斜面
９…肉厚部
Ａ…開口部隙間
Ｂ…最近接隙間
【図１】
0003567818.tif 000002
【図２】
0003567818.tif 000003
【図３】
0003567818.tif 000004
【図４】
0003567818.tif 000005
【図５】
0003567818.tif 000006
【図６】
0003567818.tif 000007
【図７】
0003567818.tif 000008